(57)【要約】【課題】ユニット本体の振動・騒音を外部へ漏れにくくするとともに、吊下ボルトやユニット本体側面への接触のおそれを少なくした化粧部材を備えた天井埋込型空気調和機を提供する。【解決手段】建物４の天井に垂下された吊下ボルト２２に支持され熱交換器９及びファン８Ｆを収容するユニット本体２と、このユニット本体２の下面に取り付けられ吸込口２５及び吹出口２６を有する天井パネル３と、ユニット本体２の外周を覆うように配設する化粧板３１〜３４とを備えた天井埋込型空気調和機１において、前記化粧板３１〜３４はユニット本体２の側板６ａ、６ｂ、６ｃ、６ｄに固定金具３５、３５・・を介して取り付けられると共に、前記固定金具３５、３５・・にはユニット本体２との当接面に断熱・防振材３７を貼着させた。【選択図】      図４
2004316970.tif 000002
【特許請求の範囲】
【請求項１】
建物の天井に垂下された吊下ボルトに支持され熱交換器及びファンを収容するユニット本体と、このユニット本体の下面に取り付けられ吸込口及び吹出口を有する天井パネルと、ユニット本体の外周を覆うように配設する化粧部材とを備えた天井埋込型空気調和機において、
前記化粧部材はユニット本体の側板に固定具を介して取り付けられると共に、前記固定具にはユニット本体との当接面に断熱・防振用部材を貼着させたことを特徴とする天井埋込型空気調和機。
【請求項２】
前記固定具にはユニット本体の側板に選択して取り付ける複数のねじ孔と化粧部材を取り付けるねじ孔とを設け、前記ユニット本体の各側板には同一形状の固定具を取り付けたことを特徴とする請求項１に記載の天井埋込型空気調和機。
【請求項３】
前記固定具は化粧部材を取り付ける取付部を凸状に形成したことを特徴とする請求項１または２に記載の天井埋込型空気調和機。
【請求項４】
前記化粧部材はユニット本体の外周を覆う複数枚の化粧板で構成され、これら化粧板は直交する化粧板同士を補強部材で連結したことを特徴とする請求項１〜３のいずれかに記載の天井埋込型空気調和機。
【発明の詳細な説明】
【０００１】
【発明の属する技術分野】
本発明は、天井埋込型空気調和機の構造の改良に関する。
【０００２】
【従来の技術】天井埋込型空気調和機は、熱交換器、ファン及びファンモータなどを収容した箱体状のユニット本体の下面に天井パネルを取り付けて構成され、天井パネルの中央位置には吸込口が、この吸込口の周囲には吹出口が形成されている。
【０００３】
このような天井埋込型空気調和機は、建物の天井に垂下された吊下ボルトにユニット本体が支持されて天井に懸吊される。このとき、一般に、天井パネルが建物の天井板の開口に嵌装されて、天井埋込型空気調和機のユニット本体は外部から見えない状態とされる。
【０００４】
ところで、建物によっては天井板がなく、天井に吊り下げられた天井埋込型空気調和機のユニット本体が外部に露出してしまう場合がある。ユニット本体は、外表面に塗装などが施されていない無垢の鋼板であり、表面には断熱材が貼着されているため、ユニット本体が外部に露出すると、天井埋込型空気調和機の美観が損なわれる虞がある。
【０００５】
このため、例えば、天井パネルの裏面側（上面側）の外周位置には化粧板取付用の補強金具が設けられ、これら補強金具に化粧板が固定されて立設される。これら立設された化粧板がユニット本体の外周を覆い、ユニット本体が露出しないようになっている（例えば特許文献１）。
【０００６】
【特許文献】
特開平１１−２５７６８５
【０００７】
【発明が解決しようとする課題】
しかしながら、前述したような化粧板は、天井パネルに堅固に固着されるため、ユニット本体の振動や騒音が伝わりやすく外部に漏れるおそれがあった。また、化粧板が天井パネルに載置されてその下縁が固定されるため、化粧板が外圧や経年変化で歪んだ場合、化粧板と、吊下ボルトやユニット本体側面とが接触して騒音を発生すするおそれがあった。
【０００８】
本発明の目的は、上述の事情を考慮してなされたものであり、ユニット本体の振動・騒音を外部へ漏れにくくするとともに、吊下ボルトやユニット本体側面への接触のおそれの少ない化粧部材を備えた天井埋込型空気調和機を提供することにある。
【０００９】
【課題を解決するための手段】
上記目的を達成するために、請求項１に記載の発明は、建物の天井に垂下された吊下ボルトに支持され熱交換器及びファンを収容するユニット本体と、このユニット本体の下面に取り付けられ吸込口及び吹出口を有する天井パネルと、ユニット本体の外周を覆うように配設する化粧部材とを備えた天井埋込型空気調和機において、前記化粧部材はユニット本体の側板に固定具を介して取り付けられると共に、前記固定具にはユニット本体との当接面に断熱・防振用部材を貼着させたことを特徴とする。
【００１０】
請求項２に記載の発明は、請求項１に記載の天井埋込型空気調和機において、前記固定具にはユニット本体の側板に選択して取り付ける複数のねじ孔と化粧部材を取り付けるねじ孔とを設け、前記ユニット本体の各側板には同一形状の固定具を取り付けたことを特徴とする。
【００１１】
請求項３に記載の発明は、請求項１または２に記載の天井埋込型空気調和機において、前記固定具は化粧部材を取り付ける取付部を凸状に形成したことを特徴とする。
【００１２】
請求項４に記載の発明は、請求項１〜３のいずれかに記載の天井埋込型空気調和機において、前記化粧部材はユニット本体の外周を覆う複数枚の化粧板で構成され、これら化粧板は直交する化粧板同士を補強部材で連結したことを特徴とする。
【００１３】
【発明の実施の形態】
以下、本発明の実施の形態を図面に基づいて説明する。
【００１４】
図１は本発明の一実施形態における天井埋込型空気調和機を示す縦断面図、図２は図１の平面図、図３は図１の天井パネルを示す底面図である。
【００１５】
図１、図２において、本天井埋込型空気調和機１は、ユニット本体２と天井パネル３とを備え、建物４の天井から吊り下げられ固定されている。
【００１６】
このユニット本体２は箱体状の本体ケース２Ａを有し、この本体ケース２Ａは天板５と４枚の側板６ａ、６ｂ、６ｃ、６ｄとを有している。このユニット本体２の内側には、発泡スチロール製の断熱体７が、前記側板６ａ、６ｂ、６ｃ、６ｄの内面に略接した状態で配置されている。天板５の中央部にはファンモータ８Ｍが固定され、このモータ８Ｍのシャフトにはターボファン８Ｆが取り付けられ、これらを囲むようにほぼ矩形状に曲げて形成された熱交換器９が前記断熱体７の内側に配置されている。この熱交換器９の下面には、ドレンパン１１が配置され、このドレンパン１１には補強用部品（図示せず）、ファンノズル１２等の各種部品がねじ止め固定されている。
【００１７】
図２において、前記熱交換器９の管板間１３ａ、１３ｂには、図２に示すように、仕切板１４が設けられ、この仕切板１４で仕切られた外側の空間には、ドレンポンプ１５、ドレン配管１６、冷媒配管１７、１８、電装箱２１等が収容されている。ドレンポンプ１５はドレン配管１６に接続され、前記ドレンパン１１に溜まるドレンを外部に排出する。冷媒配管１７、１８は、それぞれいわゆる液管、ガス管であり、室外機（図示せず）からユニット間配管を介して熱交換器９へ接続されて冷媒を導く。
【００１８】
前記建物４の天井には、例えば４本の吊下ボルト２２が垂下されており、ユニット本体２の側板６ａ、６ｂ、６ｃ、６ｄに連結された４個の吊り金具２３が吊下ボルト２２に止着されて、ユニット本体２が建物４の天井に懸吊される。
【００１９】
また、ユニット本体２の下面には、天井パネル３が、図３に示すように、その四隅部に形成されたボス部２４にボルトなどの締結手段を用いて一体に固定される。この天井パネル３は四方向吹出タイプであり、その中央位置に吸込口２５が形成され、吸込口２５の周囲に合計４つの吹出口２６が形成される。前記吸込口２５には、吸込グリル２７及びエアフィルタ２８が設けられ、エアフィルタ２８は吸込グリル２７に載置されて吸入空気を浄化する。
【００２０】
このように構成された空気調和機１において、ユニット本体２内のファンモータ８Ｍが作動すると、ターボファン８Ｆが回転し、室内Ｒの空気は、吸込グリル２７を経て吸込口２５から吸い込まれ、エアフィルタ２８（図１参照）で清浄化された後、熱交換器９へ送られ、この熱交換器９で熱交換された後、４ヵ所の吹出口２６から室内Ｒへ吹き出される。
【００２１】
この場合、吸込口２５から吸い込まれて熱交換された室内空気は、ユニット本体２のコーナー部に位置する仕切板１４の存在により、ドレンポンプ１５、ドレン配管１６、冷媒配管１７、１８等の付近へは漏れず、四方の吹出口２６を通じて室内Ｒへ吹き出される。
【００２２】
図４は天井埋込型空気調和機に化粧板を装着する状態を示す斜視図、図５は固定金具の斜視図、図６は図４の縦断面図である。
【００２３】
図４〜図６において、上述した空気調和機１には、化粧部材としての化粧板３１、３２、３３、３４が固定金具３５及び補強金具３６を用いてユニット本体２の各側板６ａ〜６ｄに取り付けられる。前記化粧板３１〜３４が四角形状の枠を構成しユニット本体２の側面外周を覆うようになっている。なお、ユニット本体２の側板６ａ〜６ｄ及び天板５は、一般に、塗装などの化粧が施されていない鋼板にて構成されている。
【００２４】
前記固定金具３５は、横長の金属製の板で、ユニット本体２の側板６ａ〜６ｄに当接しこれら側板６ａ〜６ｄに取り付けられる当接部３５ａと、左右の定位位置に設けられコ字形凸状に折曲加工され各化粧板３１〜３４を取り付ける取付部３５ｂとを有し、これら取付部３５ｂにはそれぞれ１ヵ所のねじ孔ｅが、当接部３５ａには６ヵ所のねじ孔ｆ、ｆ・・が設けられている。本体固定用ねじ孔ｆ、ｆ・・は、６ヵ所のうちのいずれか２ヵ所のねじ孔ｆ、ｆが選択して使用される。これは各側板６ａ〜６ｄに設けられるねじ孔（図示せず）がユニット本体２内部に配置される部品によって異なる位置に設けられるためである。また当接部３５ａの裏面には、ユニット本体２の振動及び熱伝導を軽減する断熱・防振材３７が貼付されている。
【００２５】
前記化粧板３１〜３４は、カラー鋼板または無垢の鋼板の外表面に塗装が施された長方形の板であり、縦、横及び高さ寸法がユニット本体２の縦、横及び高さ寸法より少し大き目に作られており、化粧板３１〜３４の下辺は、天井パネル３の裏面（上面）側から距離をおいて取り付けられる。
【００２６】
また、化粧板３１〜３４の下部には前記固定金具３５の２つの取付部３５ｂのねじ孔ｅに対応する位置にねじ孔ｇ、ｇが設けられており、取付部３５ｂのねじ孔ｅに合わせて取り付けることにより、これら化粧板３１〜３４がユニット本体２に固定される。
【００２７】
前記化粧板３１〜３４のうち対向する２つの化粧板３１、３３の左右縁部が内側直角に折曲加工され、これら折曲片４１にねじ締付用の複数のねじ孔ｈ、ｈが形成されている。また他の２つの化粧板３２、３４の左右縁部には、前記ねじ締付用ねじ孔に対応するように、ねじを挿通する複数のねじ孔ｊ、ｊが形成され、取付ねじを挿通用ねじ孔ｊを通し締付用ねじ孔ｈに固定することにより、化粧板３４が化粧板３１、３３と、化粧板３２が化粧板３１、３３と連結される。
【００２８】
また、各化粧板３１〜３４の上縁が内側直角に折曲加工され、これら上部折曲片４３にねじ締付用の２つのねじ孔ｍ、ｍが形成されている。そして、これらねじ孔ｍ、ｍを通して直交する化粧板同士の上部にそれぞれ補強天板３６が取り付けられる。これら補強天板３６の両端には２つのねじ孔ｎ、ｎが形成され、これらのねじ孔ｎ、ｎと隣接する化粧板のねじ孔ｍ、ｍとが合わされて、補強天板３６が隣接する２つの化粧板に跨って固定される。これにより４つの化粧板３１〜３４同士が補強され、四角の枠が良好な状態に保たれる。
【００２９】
前記４つの化粧板３１〜３４のうち一化粧板３１には、ドレン配管１６、冷媒配管１７、１８を挿通させるＵ字形の挿通口４４、４５が設けられる。化粧板３１は、これら配管１６、１７、１８を挿通した後、挿通口４４、４５の空き部分を覆うドレン配管用の封鎖板４６と冷媒配管用の封鎖板４７とが取付ねじにて取り付けられる。
【００３０】
このようにして、化粧板３１〜３４がユニット本体２の側板６ａ〜６ｄに固定され、これら化粧板３１〜３４により、ユニット本体２の側板６ａ〜６ｄが覆われて、空気調和機１を下方から見た場合に、ユニット本体２が露出しないようになっている。さらに、化粧板３１〜３４を取り付ける取付ねじには全て化粧ねじが用いられ、各化粧板３１〜３４のねじ孔ｇ、ｇがそれぞれ定位置に設けられているので、空気調和機１美観が向上する。
【００３１】
次に、化粧板及び補強天板の組付手順を説明する。
【００３２】
前述した化粧板３１〜３４は、天井埋込形空気調和機１と室外機の設置が完了した後に、組み付けられる。まず、ユニット本体２の４つの側板６ａ〜６ｄに化粧ねじにてそれぞれ固定金具３６を取り付ける。次に、各側板６ａ〜６ｄに対応した化粧板３１〜３４を化粧ねじにて固定金具３６に取り付け、２つの化粧板３２、３４の両端部を他の２つの化粧板３１、３３の両端部に化粧ねじにて取り付ける。ドレン配管用封鎖板４４と冷媒配管用封鎖板４５を化粧ねじにて化粧板３１に固定する。そして、４つの補強天板３６を化粧ねじにて直交する化粧板３１〜３４間に取り付けて、化粧板３１〜３４の組付が完了する。
【００３３】
これら化粧板がユニット本体の側板に組み付けられると、次のような効果を奏する。
【００３４】
天井埋込型空気調和機１の化粧板３１〜３４は、それぞれ固定金具３５を介して側板６ａ〜６ｄに取り付けられ、固定金具３５の側板６ａ〜６ｄに接する部分には断熱・防振材３７を貼着するので、ユニット本体２からの振動や音が化粧板３１〜３４に伝わりにくくなり外部への影響を軽減することができる。また、ユニット本体２からの熱が伝わりにくくなるので、空調能力を十分に発揮することができる。
【００３５】
また、固定金具３５には凸状の取付部３５ｂを設けたので、化粧板３１〜３４と側板６ａ〜６ｄとの距離が保たれ、化粧板３１〜３４の歪みによる吊下ボルト２２、２２・・との接触のおそれを少なくすることができる。化粧板３１〜３４には化粧板３１〜３４は、隣接する化粧板の両端部をねじ止め固定し、かつ上辺を補強天板３６で固定するので、外圧による反りや歪みに強い構造とすることができる。
【００３６】
また、本実施形態の化粧板３１〜３４は、従来の化粧板３１〜３４のように天井パネル３に立設したものでなく、ユニット本体２の側板６ａ〜６ｄに取り付け、かつ天井パネル３との間に隙間を設けているので、天井パネル３に荷重の掛からない構造となり、天井パネル３の反りや歪み、ボス部２４の耐久性が良くなっている。
【００３７】
また、天井パネルをユニット本体から脱着する場合には、化粧板を脱着する作業を行う（あるいは、天井パネルに化粧板を装着したままユニット本体から脱着する）必要がなく、天井パネル３の着脱作業を容易にすることができる。
【００３８】
以上、一実施形態に基づいて本発明を説明したが、本発明はこれに限定されるものではなく、要旨を逸脱しない範囲内で適宜変更して実施するものである。
【００３９】
本天井埋込形空気調和機では、ユニット本体２の縦横寸法が同じで高さ寸法が異なり、かつ、空調能力の異なる複数種類の機種が設計されており、化粧板３１〜３４の高さを高さ寸法の高い機種に合わせて設計することにより、本化粧板３１〜３４は複数種類の機種に亘って共通に使用することができ、設計の省力化を図ることができる。
【００４０】
【発明の効果】
以上のように、本発明に係る天井埋込型空気調和機によれば、ユニット本体の外側を覆うようにして化粧部材が配設されたことから、天井埋込型空気調和機が、ユニット本体を露出した状態で建物の天井に設置された場合にも、その美観を向上させることができる。
【００４１】
また、化粧部材はユニット本体の側板に固定具を介して取り付けられ、この固定具にはユニット本体との当接面に断熱・防振材を貼着させたので、ユニット本体からの振動・騒音を減少させることができると共に、ユニット本体と機外との熱伝導を少なくして熱の損失を少なくすることができる。
【００４２】
また、固定具は凸状の取付部を設けたので、化粧部材とユニット本体の側板との距離が保たれ、化粧部材の歪みによる吊下ボルトとの接触のおそれを少なくすることができ、安定した設置をすることができる。
【図面の簡単な説明】
【図１】本発明の一実施形態における天井埋込型空気調和機を示す縦断面図である。
【図２】図１の天井埋込型空気調和機の平面図である。
【図３】図１の天井埋込型空気調和機の天井パネルを示す底面図である。
【図４】天井埋込型空気調和機に化粧板を装着する状態を示す斜視図である。
【図５】取付金具の斜視図である。
【図６】図４の縦断面図である。
【符号の説明】
１  天井埋込形空気調和機
２  ユニット本体
３  天井パネル
４  建物
５  天板
６ａ、６ｂ、６ｃ、６ｄ  側板
８Ｆ  ファン
８Ｍ  ファンモータ
９  熱交換器
１６  ドレン配管
１７、１８  冷媒配管
２２  吊下ボルト
２３  吊り金具
２５  吸込口
２６  吹出口
３１、３２、３３、３４  化粧板（化粧部材）
３５  固定金具（固定具）
３５ａ  当接部
３５ｂ  取付部
３６  補強天板（補強部材）
３７  断熱・防振材（断熱・防振用部材）
４１  折曲片
４３  上部折曲片
４６  ドレン配管用封鎖板
４７  冷媒配管用封鎖板
ｅ、ｆ  固定金具のねじ孔
ｇ、ｈ、ｊ、ｍ  化粧板のねじ孔
ｎ  補強天板のねじ孔
【図１】
2004316970.tif 000003
【図２】
2004316970.tif 000004
【図３】
2004316970.tif 000005
【図４】
2004316970.tif 000006
【図５】
2004316970.tif 000007
【図６】
2004316970.tif 000008